(57)【要約】【課題】枚数が不足している紙幣束を容易に特定する。【解決手段】紙幣を取り込む取込部と、前記取込部で取り込まれた紙幣が集積される複数の集積部と、前記複数の集積部の各々に設けられる、紙幣の有無を検出する紙幣センサと、前記集積部から複数枚の紙幣を取り出し、前記複数枚の紙幣を移送する移送部と、施封識別情報が形成された帯で前記移送部により移送された前記複数枚の紙幣が施封された紙幣束を得る紙幣施封部と、前記施封識別情報および前記紙幣束に含まれる紙幣の移送元の集積部の識別情報を関連付けて記憶する記憶部と、前記移送部が一の集積部から紙幣を移送した後に最初に前記一の集積部に紙幣を搬送する際に、前記紙幣センサにより前記一の集積部で紙幣が検出された場合、前記記憶部において前記一の集積部の識別情報と関連付けられている施封識別情報を含む表示画面を生成する制御部と、を備える、紙幣処理装置。【選択図】図１
2019204149.tif 000002
【特許請求の範囲】
【請求項１】
紙幣を取り込む取込部と、
前記取込部で取り込まれた紙幣が集積される複数の集積部と、
前記複数の集積部の各々に設けられる、紙幣の有無を検出する紙幣センサと、
前記集積部から複数枚の紙幣を取り出し、前記複数枚の紙幣を移送する移送部と、
施封識別情報が形成された帯で前記移送部により移送された前記複数枚の紙幣が施封された紙幣束を得る紙幣施封部と、
前記施封識別情報および前記紙幣束に含まれる紙幣の移送元の集積部の識別情報を関連付けて記憶する記憶部と、
前記移送部が一の集積部から紙幣を移送した後に最初に前記一の集積部に紙幣を搬送する際に、前記紙幣センサにより前記一の集積部で紙幣が検出された場合、前記記憶部において前記一の集積部の識別情報と関連付けられている施封識別情報を含む表示画面を生成する制御部と、
を備える、紙幣処理装置。
【請求項２】
前記記憶部は、前記施封識別情報および前記集積部の識別情報に、前記紙幣束の金種を関連付けて記憶する、請求項１に記載の紙幣処理装置。
【請求項３】
前記制御部は、
前記移送部により前記一の集積部から前記複数枚の紙幣が移送されると、前記複数枚の紙幣についての前記施封識別情報および前記一の集積部の識別情報を前記記憶部に記憶させ、
前記移送部により前記一の集積部から前記複数枚の紙幣が移送されてから前記紙幣束が排出される前に前記紙幣センサにより前記一の集積部で紙幣が検出された場合、前記記憶部において前記一の集積部の識別情報と関連付けられている施封識別情報を含む表示画面を生成する、請求項１または２に記載の紙幣処理装置。
【請求項４】
前記制御部は、前記移送部により前記一の集積部から前記複数枚の紙幣が移送されてから、前記一の集積部に次の紙幣が搬送されるまでの間に、前記一の集積部の前記紙幣センサからの出力を繰り返し確認し、前記紙幣センサにより前記一の集積部で紙幣が検出された場合、前記記憶部において前記一の集積部の識別情報と関連付けられている施封識別情報を含む表示画面を生成する、請求項１〜３のいずれか一項に記載の紙幣処理装置。
【請求項５】
前記記憶部は、各集積部について、各集積部から移送された前記複数枚の紙幣についての前記施封識別情報の履歴を記憶する、請求項１〜４のいずれか一項に記載の紙幣処理装置。
【請求項６】
前記制御部は、施封識別情報が操作入力された場合、前記記憶部を参照し、操作入力された施封識別情報に対応する集積部を示す画面を生成する、請求項５に記載の紙幣処理装置。
【請求項７】
前記紙幣施封部は、前記施封識別情報に加え、前記複数枚の紙幣の移送元の集積部の識別情報が形成された帯で前記複数枚の紙幣が施封された前記紙幣束を得る、請求項１〜５のいずれか一項に記載の紙幣処理装置。
【発明の詳細な説明】
【技術分野】
【０００１】
本発明は、紙幣処理装置に関する。
【背景技術】
【０００２】
金融機関や店舗等において、同一金種の所定枚数の紙幣からなる紙幣束を作成する紙幣処理装置が利用されている。
【０００３】
ある種の紙幣処理装置は、金種混合の複数枚の紙幣を順次に取込む取込部と、取り込まれた紙幣の金種及び正損状態を鑑別する鑑別部と、紙幣を金種ごとに集積する複数の集積部と、所定枚数の紙幣が集積された集積部から所定枚数の紙幣を移送する移送部と、移送部により移送された紙幣を紙帯で施封して紙幣束を作成する紙幣施封部と、を備える。このような紙幣処理装置については、例えば特許文献１に開示されている。
【先行技術文献】
【特許文献】
【０００４】
【特許文献１】特開２００２−１９７５０９号公報
【発明の概要】
【発明が解決しようとする課題】
【０００５】
しかし、移送部による集積部からの紙幣の移送において紙幣の移送漏れが生じた場合、所定枚数に枚数が達していない紙幣束が作成されてしまう。紙幣束の作成後に集積部における紙幣の残留が検出されても、いずれの紙幣束の枚数が不足しているかを特定することが困難であった。例えば、いずれの紙幣束の枚数が不足しているかを特定するために、全ての紙幣束を再監査することが行われる。
【０００６】
そこで、本発明は、上記問題に鑑みてなされたものであり、本発明の目的とするところは、枚数が不足している紙幣束を容易に特定することが可能な、新規かつ改良された紙幣処理装置を提供することにある。
【課題を解決するための手段】
【０００７】
上記課題を解決するために、本発明のある観点によれば、紙幣を取り込む取込部と、前記取込部で取り込まれた紙幣が集積される複数の集積部と、前記複数の集積部の各々に設けられる、紙幣の有無を検出する紙幣センサと、前記集積部から複数枚の紙幣を取り出し、前記複数枚の紙幣を移送する移送部と、施封識別情報が形成された帯で前記移送部により移送された前記複数枚の紙幣が施封された紙幣束を得る紙幣施封部と、前記施封識別情報および前記紙幣束に含まれる紙幣の移送元の集積部の識別情報を関連付けて記憶する記憶部と、前記移送部が一の集積部から紙幣を移送した後に最初に前記一の集積部に紙幣を搬送する際に、前記紙幣センサにより前記一の集積部で紙幣が検出された場合、前記記憶部において前記一の集積部の識別情報と関連付けられている施封識別情報を含む表示画面を生成する制御部と、を備える、紙幣処理装置が提供される。
【０００８】
前記記憶部は、前記施封識別情報および前記集積部の識別情報に、前記紙幣束の金種を関連付けて記憶してもよい。
【０００９】
前記制御部は、前記移送部により前記一の集積部から前記複数枚の紙幣が移送されると、前記複数枚の紙幣についての前記施封識別情報および前記一の集積部の識別情報を前記記憶部に記憶させ、前記移送部により前記一の集積部から前記複数枚の紙幣が移送されてから前記紙幣束が排出される前に前記紙幣センサにより前記一の集積部で紙幣が検出された場合、前記記憶部において前記一の集積部の識別情報と関連付けられている施封識別情報を含む表示画面を生成してもよい。
【００１０】
前記制御部は、前記移送部により前記一の集積部から前記複数枚の紙幣が移送されてから、前記一の集積部に次の紙幣が搬送されるまでの間に、前記一の集積部の前記紙幣センサからの出力を繰り返し確認し、前記紙幣センサにより前記一の集積部で紙幣が検出された場合、前記記憶部において前記一の集積部の識別情報と関連付けられている施封識別情報を含む表示画面を生成してもよい。
【００１１】
前記記憶部は、各集積部について、各集積部から移送された前記複数枚の紙幣についての前記施封識別情報の履歴を記憶してもよい。
【００１２】
前記制御部は、施封識別情報が操作入力された場合、前記記憶部を参照し、操作入力された施封識別情報に対応する集積部を示す画面を生成してもよい。
【００１３】
前記紙幣施封部は、前記施封識別情報に加え、前記複数枚の紙幣の移送元の集積部の識別情報が形成された帯で前記複数枚の紙幣が施封された前記紙幣束を得てもよい。
【発明の効果】
【００１４】
以上説明した本発明によれば、枚数が不足している紙幣束を容易に特定することが可能である。
【図面の簡単な説明】
【００１５】
【図１】本発明の実施形態による紙幣処理装置１０の内部構成を示す説明図である。
【図２】第１の動作例のためのメモリ管理を示す説明図である。
【図３】第１の動作例において表示される障害画面の具体例を示す説明図である。
【図４】第１の動作例を示すフローチャートである。
【図５】第２の動作例のためのメモリ管理を示す説明図である。
【図６】集積部確認画面の具体例を示す説明図である。
【図７】第１の動作例のためのメモリ管理を示す説明図である。
【図８】第３の動作例において表示される障害画面の具体例を示す説明図である。
【図９】第３の動作例を示すフローチャートである。
【図１０】第４の動作例を示すフローチャートである。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
＜１．紙幣処理装置の構成＞
本発明の実施形態による紙幣処理装置は、操作者により投入された紙幣を整理するための装置であり、詳細には、投入された紙幣を鑑別し、計数し、得られた鑑別結果に応じた搬送先で紙幣を集積し、集積された紙幣を所定の枚数ごとに施封する。このような本発明の実施形態による紙幣処理装置の構成について図１を参照して具体的に説明する。
【００１８】
図１は、本発明の実施形態による紙幣処理装置１０の内部構成を示す説明図である。図１に示したように、本発明の実施形態による紙幣処理装置１０は、取込部１００、鑑別部１０２、表裏反転部１０８、移送部１１２、紙幣施封部１１４、操作キー１１５、操作表示部１１６、記憶部１１８、制御部１２０、搬送部１２４、及び外部インターフェース部１２８を備える。また、紙幣処理装置１０は、リジェクトポケット１０４、オープンポケット１０６および集積部１１０Ａ〜１１０Ｅを備える。
【００１９】
取込部１００は、操作者によって投入された複数の紙幣を取り込む部位である。取込部１００は、図１に示したように、ローラ１５０と、紙幣を収納する収納空間１５４と、収納空間１５４からローラ１５０へ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１２４に一枚ずつ繰り出される。なお、取込部１００は、ビルプレス１５８の移動量を検知するセンサ（図示省略）等を有することによって、紙幣処理装置１０に投入された全ての紙幣処理の完了（計数完了）を検知することができるように構成される。
【００２０】
鑑別部１０２は、取込部１００から取り込まれた紙幣の鑑別を行う。例えば、鑑別部１０２は、紙幣の真偽、金種などの紙幣の種類、紙幣の正損状態、紙幣の破れの有無、鑑別時における紙幣の表裏の向きなどを鑑別する。紙幣は、当該鑑別部１０２による鑑別の結果に応じた搬送先に搬送される。なお、紙幣の正損状態の鑑別は、紙幣が正券であるか損券であるかの鑑別である。損券は、汚れの程度が所定基準を上回る紙幣であり、正券は汚れの程度が所定基準以下である紙幣であってもよい。
【００２１】
リジェクトポケット１０４は、鑑別部１０２により、偽券、金種不明または破れがあると鑑別されたリジェクト紙幣を集積するリジェクト部である。
【００２２】
オープンポケット１０６は、施封対象外の紙幣を集積する。オープンポケット１０６は、図１に示したように、装置の外部に露出する位置に設けられる。このオープンポケット１０６に搬送される紙幣の券種であるオープンポケット券種は事前に設定される。鑑別部１０２による紙幣の鑑別結果としてオープンポケット券種が得られた場合、当該紙幣はオープンポケット１０６に搬送される。なお、図１に示したように２つのオープンポケット１０６が設けられる場合、２つのオープンポケット１０６の各々に異なるオープンポケット券種が設定されてもよい。なお、紙幣の券種は、紙幣の金種、紙幣の正損、および紙幣の天地状態のうちの少なくともいずれかに対応する。
【００２３】
表裏反転部１０８は、紙幣の表裏状態を統一するために、所定の表裏状態を有する紙幣を反転させる。
【００２４】
集積部１１０は、施封対象に該当すると鑑別部１０２により鑑別された紙幣を集積する。集積部１１０は、図１に示したように紙幣処理装置１０の内部に設けられる。この集積部１１０に搬送される紙幣の券種である施封券種は事前に設定される。例えば、集積部１１０Ａには施封券種として正券の一万円札が設定され、集積部１１０Ａは正券の一万円札を集積する。また、集積部１１０Ｂには施封券種として損券の一万円札が設定され、集積部１１０Ｂは損券の一万円札を集積し得る。各集積部１１０は、各集積部１１０における紙幣の有無を検出する紙幣センサ１１１を有する。
【００２５】
移送部１１２は、各集積部１１０に集積された紙幣を紙幣施封部１１４へ移送する。具体的には、いずれかの集積部１１０に集積されている紙幣の枚数が所定の施封枚数（例えば、１００枚）に達すると、移送部１１２は、当該集積部１１０から施封枚数の紙幣を紙幣施封部１１４へ移送する。なお、移送部１１２は、紙幣処理装置１０の内部を昇降することにより集積部１１０と紙幣施封部１１４との間で紙幣の移送を行う。
【００２６】
紙幣施封部１１４は、移送部１１２から移送された施封枚数の紙幣を紙帯で施封することにより、紙幣束を作成する。なお、作成された紙幣束は、排出口（図示省略）へ搬送され、紙幣処理装置１０外へ放出される。また、紙帯には、施封識別情報として施封通番が形成される。
【００２７】
操作キー１１５は、操作者により押圧される構成である。例えば、操作キー１１５は、リセットキー１１５Ａ、完了キー１１５Ｂ、開始／停止キー１１５Ｃを含む。紙幣処理装置１０は、操作者により押圧されたキーに応じて動作を制御する。
【００２８】
操作表示部１１６は、各種画面を表示する表示部、及び操作者の操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１１６は、後述する制御部１２０の制御に従って、各種の操作画面、計数結果やエラーメッセージなどを表示し、操作者による紙幣処理装置１０に対する各種の入力操作を受け付け、制御部１２０に伝達する。なお、操作表示部１１６の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよい。
【００２９】
記憶部１１８は、例えば、制御プログラムや鑑別部１０２による鑑別の際に用いられる情報、鑑別部１０２による鑑別結果、各集積部１１０における紙幣の管理値などを記憶する。各集積部１１０における紙幣の管理値は、集積部１１０から紙幣が移送された際に「０」に更新される。また、記憶部１１８は、第１メモリおよび第２メモリを有する。第１メモリは揮発性メモリであり、第２メモリは不揮発性メモリであってもよい。第１メモリおよび第２メモリの活用方法については詳細に後述する。
【００３０】
制御部１２０は、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、制御部１２０は、操作表示部１１６からの入力や外部インターフェース部１２８が受け入れた外部装置からの情報に基づき、記憶部１１８から所定のプログラムを読み出して実行することにより、紙幣処理装置１０の動作全般を制御することができる。また、制御部１２０は、鑑別部１０２による紙幣の鑑別結果に基づいて、紙幣の搬送先を決定する。
【００３１】
搬送部１２４は、紙幣の移動経路を形成する搬送路、紙幣を搬送するローラ、および当該ローラを駆動するモータからなる。取込部１００から取り込まれた紙幣は、搬送部１２４により、リジェクトポケット１０４、オープンポケット１０６または集積部１１０に搬送される。
【００３２】
（課題の整理）
移送部１１２が集積部１１０から紙幣を移送する際、集積部１１０に集積されている全ての紙幣が移送されることが望まれる。紙幣の移送漏れが生じると、後に得られる紙幣束に含まれる紙幣の枚数が不足してしまう。紙幣束の作成後に集積部１１０における紙幣の残留が検出されても、いずれの紙幣束の枚数が不足しているかを特定することが困難であった。例えば、いずれの紙幣束の枚数が不足しているかを特定するために、全ての紙幣束を再監査することが行われる。
【００３３】
なお、移送部１１２が集積部１１０から紙幣を抜き取った直後に紙幣センサ１１１により紙幣が検出されている場合に、障害処理を行う方法も考えられる。しかし、集積部１１０に紙幣が残留した場合であっても、移送直後には、残留した紙幣の状態によっては紙幣センサ１１１により当該紙幣が検出されないことが起こり得る。
【００３４】
本件発明者は、上記事情を一着眼点にして本発明の実施形態を創作するに至った。本発明の実施形態によれば、紙幣の移送漏れをより確実に検出し、かつ、枚数が不足している紙幣束を容易に特定することが可能である。以下、このような本発明の実施形態による紙幣処理装置１０の幾つかの動作例を順次詳細に説明する。
【００３５】
＜２．紙幣処理装置の動作＞
（第１の動作例）
第１の動作例では、ある集積部１１０から紙幣が移送された後、当該集積部１１０に最初に紙幣が搬送される際に紙幣センサ１１１により紙幣が検出された場合に、障害処理が行われる。そして、障害処理として、紙幣処理装置１０は、監査すべき紙幣束の施封通番を含む障害画面を表示する。ここで、図２を参照し、このような第１の動作例のためのメモリ管理を説明する。
【００３６】
図２は、第１の動作例のためのメモリ管理を示す説明図である。図２に示したように、第１メモリには、集積部１１０の識別情報である集積部番号および施封通番を記憶するエリアが２つ含まれる。第２メモリには、集積部１１０ごとに施封通番を記憶するエリアが含まれる。
【００３７】
制御部１２０は、いずれかの集積部１１０から移送部１１２により複数枚の紙幣（紙幣群）が移送された場合に、当該紙幣群に施封通番を割り当て、当該施封通番および移送元の集積部１１０の集積部番号を関連付けて第１メモリの空いているエリアに書き込む。そして、紙幣束が排出口から排出されると、制御部１２０は、第１メモリにおいて当該紙幣束に関して記憶されている施封通番を第２メモリの該当するエリアに書込み、第１のメモリから当該紙幣束に関して記憶されている施封通番および集積部番号を削除する。
【００３８】
なお、移送部１１２による紙幣の移送と、紙幣施封部１１４による紙幣の施封とは、異なる紙幣群に対して並行して行われ得るので、第１メモリには２つの記憶エリアが用意されている。
【００３９】
制御部１２０は、ある集積部１１０から紙幣が移送された後、当該集積部１１０に最初に紙幣が搬送される際に紙幣センサ１１１により紙幣が検出された場合に、第２メモリを参照し、当該集積部１１０の集積部番号に関連付けられている施封通番を特定する。当該施封通番は、当該集積部１１０から直近で移送された紙幣群からなる紙幣束であって、紙幣枚数が不足していると考えられる紙幣束の施封通番を意味する。制御部１２０は、特定した施封通番を含む表示画面（以下、障害画面）を生成し、当該表示画面を操作表示部１１６に表示させる。
【００４０】
図３は、第１の動作例において表示される障害画面の具体例を示す説明図である。図３に示したように、障害画面は、紙幣処理装置１０を模式的に示す表示７０、および障害メッセージ７１を含む。表示７０においては、移送漏れが生じた集積部１１０を示す箇所（図３に示した例では、２０番の箇所）が点滅により強調される。
【００４１】
障害メッセージ７１は、第２メモリを参照して特定された施封通番（図３に示した例では、施封通番５６７８）を含む。操作者は、当該施封通番が形成された紙幣帯を有する紙幣束を探し、当該紙幣束を再鑑すればよい。したがって、操作者は、全ての紙幣束を再鑑せずに、枚数が不足している紙幣束を容易に特定することが可能となる。さらに、操作者は、表示７０に基づき移送漏れが生じた集積部１１０を理解し、当該集積部１１０に残留している紙幣を枚数が不足している紙幣束に補填することが可能である。
【００４２】
以下、図４を参照し、このような第１の動作例を整理する。
【００４３】
図４は、第１の動作例を示すフローチャートである。まず、操作者が、紙幣処理装置１０の業務モードとして施封モードを選択し、取込部１００に紙幣をセットする（Ｓ２０４）。そして、操作者が開始／停止キー１１５Ｃを押圧すると、取込部１００が１枚ずつ紙幣を分離して繰出し、鑑別部１０２が紙幣の券種を鑑別し、鑑別結果に基づき制御部１２０が紙幣の搬送先の集積部１１０を決定する（Ｓ２０８）。
【００４４】
ここで、制御部１２０は、搬送先の集積部１１０の紙幣の管理値が「０」であるか否かを確認する（Ｓ２１２）。搬送先の集積部１１０の紙幣の管理値が「０」でない場合（Ｓ２１２／Ｎｏ）、搬送部１２４が制御部１２０からの制御に従い紙幣を搬送先の集積部１１０に搬送する（Ｓ２１６）。そして、当該集積部１１０に１００枚の紙幣が集積完了していない場合にはＳ２０８からの処理が繰り返され（Ｓ２２０／Ｎｏ）、当該集積部１１０に１００枚の紙幣が集積完了した場合には施封処理が進められる（Ｓ２２０／Ｙｅｓ）。
【００４５】
すなわち、１００枚の紙幣が集積完了した集積部１１０から移送部１１２が紙幣群を移送し、制御部１２０が、当該紙幣群に施封通番を割り当て、当該施封通番および移送元の集積部１１０の集積部番号を関連付けて第１メモリの空いているエリアに書き込む（Ｓ２２４）。並行して、紙幣施封部１１４が、紙帯に施封通番を印字する（Ｓ２２８）。その後、紙幣施封部１１４が、紙幣施封部１１４に移送された紙幣群を、施封通番が印字された紙帯で施封する（Ｓ２３２）。そして、紙幣処理装置１０が紙幣束を排出し、制御部１２０が、第１メモリにおいて当該紙幣束に関して記憶されている施封通番を第２メモリの該当するエリアに書込み、第１メモリから当該紙幣束に関して記憶されている施封通番および集積部番号を削除する（Ｓ２３６）。取込部１００に紙幣がある場合にはＳ２０８からの処理が繰り返され（Ｓ２４０／Ｙｅｓ）、取込部１００に紙幣がない場合には処理が終了する（Ｓ２４０／Ｎｏ）。
【００４６】
一方、Ｓ２１２において、搬送先の集積部１１０の紙幣の管理値が「０」である場合（Ｓ２１２／Ｙｅｓ）、制御部１２０は、搬送先の集積部１１０の紙幣センサ１１１により紙幣が検出されているか否かを確認する（Ｓ２４４）。紙幣センサ１１１により紙幣が検出されていない場合（Ｓ２４４／Ｎｏ）、上述したＳ２１６の処理が行われる。紙幣センサ１１１により紙幣が検出された場合（Ｓ２４４／Ｙｅｓ）、制御部１２０は、第２メモリにおいて搬送先の集積部１１０に関連付けられている施封通番を特定し、当該施封通番を含む障害画面を操作表示部１１６に表示させる（Ｓ２４８）。
【００４７】
以上より、操作者は、表示される施封通番に基づき、枚数が不足している紙幣束を容易に特定することが可能である。
【００４８】
なお、紙幣の移送漏れにより集積部１１０に紙幣が残留した場合であっても、移送直後には、残留した紙幣の状態によっては紙幣センサ１１１により当該紙幣が検出されず、その後、紙幣の状態が変化することにより紙幣が紙幣センサ１１１により検出される場合がある。従って、第１の動作例のように、集積部１１０から紙幣群が移送された後に最初に紙幣が搬送されるタイミングで紙幣センサ１１１により紙幣が検出されているか否かを確認することにより、紙幣の移送漏れをより確実に検出することが可能となる。
【００４９】
（第２の動作例）
次に、第２の動作例を説明する。第２の動作例では、紙幣処理装置１０から排出された紙幣束の施封通番の履歴が、紙幣束を構成する紙幣群の移送元の集積部１１０ごとに記憶される。図５を参照し、このような第２の動作例のためのメモリ管理を説明する。
【００５０】
図５は、第２の動作例のためのメモリ管理を示す説明図である。図５に示したように、第１メモリには、集積部１１０の識別情報である集積部番号および施封通番を記憶するエリアが２つ含まれる。第２メモリには、集積部１１０ごとに複数の施封通番（図５に示した例では、９９９９個の施封通番）を記憶するエリアが含まれる。
【００５１】
制御部１２０は、いずれかの集積部１１０から移送部１１２により紙幣群が移送された場合に、当該紙幣群に施封通番を割り当て、当該施封通番および移送元の集積部１１０の集積部番号を関連付けて第１メモリの空いているエリアに書き込む。そして、紙幣束が排出口から排出されると、制御部１２０は、第１メモリにおいて当該紙幣束に関して記憶されている施封通番を、第２メモリの該当するエリア（紙幣群の移送元の集積部１１０のためのエリアであって、当該紙幣束が当該集積部１１０に由来する何束目の紙幣束であるかに応じたエリア）に書き込み、第１のメモリから当該紙幣束に関して記憶されている施封通番および集積部番号を削除する。
【００５２】
かかる構成によれば、紙幣処理装置１０から排出された各紙幣束がいずれの集積部１１０に由来するかを事後的に確認することが可能となる。例えば、操作表示部１１６が図６に示したように集積部確認画面に施封通番を入力し、操作者が確認ボタンを選択すると、制御部１２０が、第２メモリを参照して施封通番に対応する集積部１１０を特定する。そして、制御部１２０は、特定した集積部１１０を示す情報を含む検索結果画面を操作表示部１１６に表示させてもよい。結束状態が悪い紙幣束があった場合に、当該紙幣束がいずれの集積部１１０に由来するかを確認し、当該集積部１１０に問題が無いかを調べることが可能となる。なお、紙幣施封部１１４は、紙幣群を施封する紙帯に施封番号に加えて集積部番号を印字してもよい。集積部番号の印字によっても、結束状態が悪い紙幣束がいずれの集積部１１０に由来するかを容易に確認することが可能である。
【００５３】
（第３の動作例）
次に、第３の動作例を説明する。第３の動作例では、ある集積部１１０から紙幣が移送された後、当該集積部１１０に最初に紙幣が搬送される際に紙幣センサ１１１により紙幣が検出された場合に、障害処理が行われる。そして、障害処理として、紙幣処理装置１０は、監査すべき紙幣束の施封通番および金種を含む障害画面を表示する。ここで、図７を参照し、このような第３の動作例のためのメモリ管理を説明する。
【００５４】
図７は、第１の動作例のためのメモリ管理を示す説明図である。図７に示したように、第１メモリには、集積部１１０の識別情報である集積部番号、施封通番および金種を記憶するエリアが２つ含まれる。第２メモリには、集積部１１０ごとに施封通番および金種を記憶するエリアが含まれる。
【００５５】
制御部１２０は、いずれかの集積部１１０から移送部１１２により紙幣群が移送された場合に、当該紙幣群に施封通番を割り当て、当該施封通番、紙幣群の金種、および移送元の集積部１１０の集積部番号を関連付けて第１メモリの空いているエリアに書き込む。そして、紙幣束が排出口から排出されると、制御部１２０は、第１メモリにおいて当該紙幣束に関して記憶されている施封通番および金種を第２メモリの該当するエリアに書込み、第１のメモリから当該紙幣束に関して記憶されている施封通番、金種および集積部番号を削除する。
【００５６】
制御部１２０は、ある集積部１１０から紙幣が移送された後、当該集積部１１０に最初に紙幣が搬送される際に紙幣センサ１１１により紙幣が検出された場合に、第２メモリを参照し、当該集積部１１０の集積部番号に関連付けられている施封通番および金種を特定する。当該施封通番および金種は、当該集積部１１０から直近で移送された紙幣群からなる紙幣束であって、紙幣枚数が不足していると考えられる紙幣束の施封通番および金種を意味する。制御部１２０は、特定した施封通番および金種を含む障害画面を操作表示部１１６に表示させる。
【００５７】
図８は、第３の動作例において表示される障害画面の具体例を示す説明図である。障害画面は、紙幣処理装置１０を模式的に示す表示７０、および障害メッセージ７３を含む。表示７０は図３を参照して説明した通りである。障害メッセージ７１は、第２メモリを参照して特定された施封通番（図８に示した例では、施封通番５６７８）および金種（図８に示した例では、万券）を含む。従って、操作者は、障害メッセージ７３内で示される金種の紙幣束から、障害メッセージ７３内で示される施封通番が形成された紙幣帯を有する紙幣束を探せばよい。結果、操作者がより容易に紙幣束を探すことが可能となる。
【００５８】
以下、図９を参照し、このような第３の動作例を整理する。
【００５９】
図９は、第３の動作例を示すフローチャートである。Ｓ２０４〜Ｓ２２０の処理は図４を参照して説明したＳ２０４〜Ｓ２２０の処理と実質的に同一であるので、ここでの詳細な説明を省略する。
【００６０】
集積部１１０に１００枚の紙幣が集積完了した場合（Ｓ２２０／Ｙｅｓ）、１００枚の紙幣が集積完了した集積部１１０から移送部１１２が紙幣群を移送し、制御部１２０が、当該紙幣群に施封通番を割り当て、当該施封通番、紙幣群の金種、および移送元の集積部１１０の集積部番号を関連付けて第１メモリの空いているエリアに書き込む（Ｓ２２６）。並行して、紙幣施封部１１４が、紙帯に施封通番を印字する（Ｓ２２８）。その後、紙幣施封部１１４が、紙幣施封部１１４に移送された紙幣群を、施封通番が印字された紙帯で施封する（Ｓ２３２）。そして、紙幣処理装置１０が紙幣束を排出し、制御部１２０が、第１メモリにおいて当該紙幣束に関して記憶されている施封通番および金種を第２メモリの該当するエリアに書込み、第１メモリから当該紙幣束に関して記憶されている施封通番、金種および集積部番号を削除する（Ｓ２３８）。取込部１００に紙幣がある場合にはＳ２０８からの処理が繰り返され（Ｓ２４０／Ｙｅｓ）、取込部１００に紙幣がない場合には処理が終了する（Ｓ２４０／Ｎｏ）。
【００６１】
一方、Ｓ２１２において、搬送先の集積部１１０の紙幣の管理値が「０」である場合（Ｓ２１２／Ｙｅｓ）、制御部１２０は、搬送先の集積部１１０の紙幣センサ１１１により紙幣が検出されているか否かを確認する（Ｓ２４４）。紙幣センサ１１１により紙幣が検出されていない場合（Ｓ２４４／Ｎｏ）、上述したＳ２１６の処理が行われる。紙幣センサ１１１により紙幣が検出された場合（Ｓ２４４／Ｙｅｓ）、制御部１２０は、第２メモリにおいて搬送先の集積部１１０に関連付けられている施封通番および金種を特定し、当該施封通番および金種を含む障害画面を操作表示部１１６に表示させる（Ｓ２５０）。
【００６２】
以上より、操作者は、表示される施封通番および金種に基づき、枚数が不足している紙幣束を一層容易に特定することが可能である。
【００６３】
（第４の動作例）
次に、第４の動作例を説明する。第４の動作例は、第３の動作例で説明した処理に加え、集積部１１０から紙幣群を移送した直後に集積部１１０に残留紙幣があるか否かを確認する処理を含む。以下、図１０を参照し、このような第４の動作例を説明する。
【００６４】
図１０は、第４の動作例を示すフローチャートである。Ｓ２０４〜Ｓ２２８、Ｓ２３２〜Ｓ２５０の処理は図９を参照して説明したＳ２０４〜Ｓ２２８、Ｓ２３２〜Ｓ２５０の処理と実質的に同一であるので、ここでの詳細な説明を省略する。
【００６５】
移送部１１２が集積部１１０から紙幣群を移送した後（Ｓ２２６）、制御部１２０は、移送元の集積部１１０の紙幣センサ１１１により紙幣が検出されているか否かを確認する（Ｓ２２９）。紙幣センサ１１１により紙幣が検出された場合（Ｓ２２９／Ｙｅｓ）、制御部１２０は、第２メモリにおいて移送元の集積部１１０に関連付けられている施封通番および金種を特定し、当該施封通番および金種を含む障害画面を操作表示部１１６に表示させる（Ｓ２５０）。
【００６６】
以上より、移送漏れの発生を早期に検出することが可能である。また、移送漏れが生じた集積部１１０へ次に紙幣が搬送されない場合であっても、移送漏れの発生を検出することが可能である。
【００６７】
なお、上記では、紙幣群が移送された際、および移送の後に最初に紙幣が搬送される際に集積部１１０に残留紙幣があるか否かが確認される例を説明した。しかし、集積部１１０に残留紙幣があるか否かが確認されるタイミングはこれらに限定されない。例えば、ある集積部１１０から紙幣群が移送されてから、当該集積部１１０に次に紙幣が搬送されるまでの間に、制御部１２０は当該集積部１１０に残留紙幣があるか否かを繰り返し（例えば、定期的に）確認してもよい。そして、紙幣センサ１１１により残留紙幣が検出された場合、第２メモリにおいて当該集積部１１０に関連付けられている施封番号を含む障害画面を操作表示部１１６に表示させてもよい。かかる構成によれば、残留紙幣が紙幣センサ１１１により検出される状態になってから低遅延で障害画面を表示することが可能となる。
【００６８】
＜３．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６９】
例えば、本明細書の紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【００７０】
また、紙幣処理装置１０に内蔵されるＣＰＵ、ＲＯＭおよびＲＡＭなどのハードウェアに、上述した紙幣処理装置１０の各構成と同等の機能を発揮させるためのコンピュータプログラムも作成可能である。また、該コンピュータプログラムを記憶させた記憶媒体も提供される。
【符号の説明】
【００７１】
１０  紙幣処理装置
２０  紙幣処理装置
１００  取込部
１０２  鑑別部
１０４  リジェクトポケット
１０６  オープンポケット
１０８  表裏反転部
１１０  集積部
１１１  紙幣センサ
１１２  移送部
１１４  紙幣施封部
１１５  操作キー
１１６  操作表示部
１１８  記憶部
１２０  制御部
１２４  搬送部
１２８  外部インターフェース部
１５０  ローラ
１５４  収納空間
１５６  ガイド
１５８  ビルプレス
【図１】
2019204149.tif 000003
【図２】
2019204149.tif 000004
【図３】
2019204149.tif 000005
【図４】
2019204149.tif 000006
【図５】
2019204149.tif 000007
【図６】
2019204149.tif 000008
【図７】
2019204149.tif 000009
【図８】
2019204149.tif 000010
【図９】
2019204149.tif 000011
【図１０】
2019204149.tif 000012